(57)【要約】【課題】トリガとコンタクトアームの双方がオン操作されたことを条件に打ち込みがなされる打ち込み工具において、トリガをオン操作したまま持ち運ぶ際にコンタクトアームが他部位に干渉等しても不用意な打ち込み動作がなされないようにする必要がある。従来の電気制御式のタイマー制御では、電力供給のない環境下では打ち込み工具を用いることができない。本発明では、電力供給のない環境下においてもタイマー制御がなされるようにする。【解決手段】トリガ１２のオン操作で、回転抵抗付与部材により回転抵抗を受けつつコンタクト規制部材２１がロック側に回動し始める。トリガオン操作後、基準時間ｔが経過した後では、ロック部２１ｅがロック受け部６ｃに進入してコンタクトアーム６のオン操作が禁止された状態となって不用意な打ち込み動作が禁止される。係る完全機械的構成のタイマー機構２０により電力供給のない環境下においてタイマー制御がなされる。【選択図】図１２
2018144122.tif 000002
【特許請求の範囲】
【請求項１】
トリガのオン操作とコンタクトアームのオン操作の双方がなされたことを条件に本体部の打ち込み動作がなされる打ち込み工具であって、
前記コンタクトアームがオン操作されていない状態で前記トリガがオン操作されると作動開始するタイマー機構を備えており、
該タイマー機構は、前記トリガのオン操作から起算される基準時間の経過後における前記コンタクトアームのオン位置側への移動動作を規制するコンタクト規制部材を備えており、
該コンタクト規制部材の、前記コンタクトアームのオン位置側への移動動作を許容するアンロック位置から該移動動作を規制するロック位置への移動について前記基準時間を設定した打ち込み工具。
【請求項２】
請求項１記載の打ち込み工具であって、前記コンタクト規制部材に移動抵抗を付加して前記基準時間を設定した打ち込み工具。
【請求項３】
請求項２記載の打ち込み工具であって、前記コンタクト規制部材の前記ロック位置から前記アンロック位置への戻し動作については前記移動抵抗が付加されない構成とした打ち込み工具。
【請求項４】
請求項１〜３の何れか１項に記載にした打ち込み工具であって、前記コンタクト規制部材の前記アンロック位置から前記ロック位置に至る途中の段階では、該コンタクト規制部材が前記コンタクトアームのオン位置に向かう移動動作により前記アンロック位置へ戻される構成とした打ち込み工具。
【請求項５】
請求項１〜４の何れか１項に記載した打ち込み工具であって、前記コンタクトアームのオン操作により、前記コンタクト規制部材の前記ロック位置への移動が規制される構成とした打ち込み工具。
【請求項６】
請求項１〜５の何れか１項に記載した打ち込み工具であって、前記トリガのオフ操作により前記コンタクト規制部材が前記アンロック位置に戻される構成とした打ち込み工具。
【請求項７】
請求項１〜６の何れか１項に記載した打ち込み工具であって、前記コンタクト規制部材は、前記ロック位置と前記アンロック位置との間を回動可能に支持されており、該コンタクト規制部材の前記アンロック位置から前記ロック位置への移動動作について回転式ダンパを用いて回転抵抗を付与して前記基準時間を設定した打ち込み工具。
【請求項８】
請求項７記載の打ち込み工具であって、前記コンタクト規制部材と前記回転式ダンパとの間に、ギヤの噛み合い若しくはリンク機構を介在させて前記コンタクト規制部材の前記アンロック位置から前記ロック位置の移動について前記基準時間を設定した打ち込み工具。
【発明の詳細な説明】
【技術分野】
【０００１】
この発明は、釘打ち機等の打ち込み工具に関する。
【背景技術】
【０００２】
例えば圧縮エアを動力源とする釘打ち機では、打ち込みノーズ部の先端に設けたコンタクトアームを被打ち込み材に押し付けて射出口に対して相対的に上動させる操作（コンタクトアームのオン操作）と、トリガを指先で引く操作（トリガのオン操作）の双方がなされることを条件に工具本体部で打ち込み動作がなされるようになっており、一方のオン操作のみでは打ち込み動作がなされず、これにより不用意な打ち込み動作が回避されるようになっている。
【０００３】
また、この種の打ち込み工具では、コンタクトアームを先に被打ち込み材に押し付けてオン操作した後にトリガを引き操作して行う狙い打ち、コンタクトアームをオン操作したまま当該打ち込み工具を移動させつつトリガをオン操作して行う引き摺り打ち、トリガを引き操作したまま当該打ち込み工具を上下に振ってコンタクトアームをオンオフさせる振り打ち等の様々な打ち込み動作を行うことができる。狙い打ちや引き摺り打ちでは、打ち込み動作後に一旦トリガをオフさせないと次の打ち込み動作がなされない（単発打ち）。これに対して振り打ちでは、トリガを引き操作したままコンタクトアームのオンオフを繰り返すことにより連続して打ち込み動作を行うことができる（連発打ち）。
【０００４】
下記の特許文献１には、打ち込み駆動部への圧縮エアの供給、遮断を切り替えるヘッドバルブの動作を、電子制御されるソレノイドバルブを用いて行う技術が開示されている。特許文献２、３には、電子制御されるソレノイドバルブを用いて連発打ち、単発打ちの切り替えを行う構成とした打ち込み工具が開示されている。電子制御式のソレノイドバルブ（起動バルブ）を用いることにより、単発打ちや連発打ち等の打ち込み動作が適切に制御されるようになっている。ところが、特許文献１〜３に開示された技術では、起動バルブのステムを移動させる一部動力源として圧縮エアを用いる構成であるので、当該起動バルブのオンオフ動作に時間が掛かって打ち込み動作の速射性能が低下する問題があった。
【０００５】
下記の特許文献４には、コンタクトアームのオン操作とトリガのオン操作をそれぞれ個別にマイクロスイッチで検知し、コンタクトアームのオン操作後の経過時間をタイマー計測する構成を備えたモード切り替え技術が開示されている。特許文献４に開示されたモード切り替え技術によれば、単発打ちモードでは、コンタクトアームのオン操作後一定時間経過前にトリガがオン操作されることにより打ち込み動作がなされる。１回の打ち込み動作がなされた後における、連続した打ち込み動作の禁止状態がトリガのオフ操作によりリセットされる。連発打ちモードでは、トリガのオン操作後一定時間経過前にコンタクトアームのオン操作がなされることを条件にタイマーのリセットと打ち込み動作を繰り返すことができ、タイマー計測による一定時間内にコンタクトアームのオン操作がなされない時点でその後のオン操作が無効となって打ち込み動作禁止状態となり、若しくはコンタクトアームにロックピンを係合させてオフ位置にロックすることにより同じく打ち込み動作禁止状態となる。係るモード切り替え技術によれば、例えば連発打ちモードでグリップ部を把持してトリガをオン操作したまま持ち運ぶ際等にコンタクトアームを誤って他部位に接触させてしまった場合でも不用意な打ち込み動作が回避される。
【先行技術文献】
【特許文献】
【０００６】
【特許文献１】米国特許第５７３２８７０号明細書
【特許文献２】米国特許公開第２０１４／０１１０４５０号公報
【特許文献３】米国特許公開第２０１４／０１１０４５２号公報
【特許文献４】特許第３２８７１７２号公報
【発明の概要】
【発明が解決しようとする課題】
【０００７】
しかしながら、上記特許文献４に開示された技術によれば、手動操作式の起動バルブを用いるため速射性能の低下といった問題は生じないものの、電池の残容量が低下してマイクロスイッチやこれらの入力信号を受けて作動するコントローラ等に対する電源供給がなくなった場合あるいは遮断された時点で、打ち込み動作が全くなされなくなるため作業を中止せざるを得なくなる問題があった。この点は、特許文献１〜３に開示された技術についても同様で、電力供給が停止されるとそもそも起動用のバルブが作動しないため打ち込み動作を一切することができなくなる。
【０００８】
本発明は、上記従来の問題を解消するためになされたもので、電気制御用の電池（電力供給）がなくなった場合等でも打ち込み作業を続行できるようにすることを目的とする。
【課題を解決するための手段】
【０００９】
上記の課題は以下の各発明により解決される。第１の発明は、トリガのオン操作とコンタクトアームのオン操作の双方がなされたことを条件に工具本体部の打ち込み動作がなされる打ち込み工具である。第１の発明に係る打ち込み工具は、コンタクトアームがオン操作されていない状態でトリガがオン操作されると作動開始するタイマー機構を備えている。タイマー機構は、トリガのオン操作から起算される基準時間の経過後におけるコンタクトアームのオン位置側への移動動作を規制するコンタクト規制部材を備えている。第１の発明では、コンタクト規制部材の、コンタクトアームのオン位置側への移動動作を許容するアンロック位置から移動動作を規制するロック位置への移動について基準時間が設定されている。
【００１０】
第１の発明によれば、先にトリガをオン操作した場合には、基準時間経過前にコンタクトアームをオン操作すれば打ち込み動作がなされ、基準時間経過後ではコンタクトアームのオン操作が規制されて打ち込み動作が禁止されるタイマー制御がなされる。係るタイマー制御により、例えばトリガをオン操作したまま当該打ち込み工具を持ち運ぶ場合に、基準時間経過後であればコンタクトアームを誤って他部位に干渉等させた場合であっても工具本体部における不用意な打ち込み動作を確実に防止することができる。
【００１１】
第１の発明では、コンタクト規制部材のアンロック位置からロック位置への移動について基準時間が設定されていることから、コンタクト規制部材のアンロック位置からロック位置への移動時間が基準時間に相当する。コンタクト規制部材がロック位置に移動した状態では当該コンタクト規制部材が干渉してコンタクトアームのオン操作が物理的に規制される。このように当該タイマー機構が電力を必要としない機械的構成により実現されていることから、電力供給がなされない環境下においても打ち込み作業を行うことができる。なお、第１の発明に係るタイマー機構は、先にトリガをオン操作した場合に機能する構成であり、先にコンタクトアームをオン操作した場合には機能しない。
【００１２】
第２の発明は、第１の発明において、コンタクト規制部材に移動抵抗を付加して基準時間を設定した打ち込み工具である。
【００１３】
第２の発明によれば、コンタクト規制部材の移動抵抗を適切に設定することにより、当該コンタクト規制部材のアンロック位置からロック位置への移動時間を任意に設定することができ、ひいては基準時間を任意に設定することができる。移動抵抗を付加する手段としては、例えばエアダンパやオイルダンパ等の移動抵抗付与手段を用いることができる。
【００１４】
第３の発明は、第２の発明において、コンタクト規制部材のロック位置からアンロック位置への戻し動作については移動抵抗が付加されない構成とした打ち込み工具である。コンタクト規制部材のアンロック位置への戻し動作については、トリガのオフ位置への戻し動作を利用することができる。
【００１５】
第３の発明によれば、タイマー制御の初期状態への復帰（リセット）を迅速に行うことができ、これにより当該打ち込み工具の操作性及び作業性を高めることができる。第３の発明の場合、コンタクト規制部材の移動動作について、例えばワンウエイクラッチを用いることにより、１方向の移動動作（アンロック位置からロック位置への移動動作）についてのみ移動抵抗を与えることができる。
【００１６】
第４の発明は、第１〜第３の何れか一つの発明において、コンタクト規制部材のアンロック位置からロック位置に至る途中の段階では、コンタクト規制部材がコンタクトアームのオン位置に向かう移動動作によりアンロック位置へ戻される構成とした打ち込み工具である。
【００１７】
第４の発明によれば、基準時間を正確に設定することができる。
【００１８】
第５の発明は、第１〜第４の何れか一つの発明において、コンタクトアームのオン操作により、コンタクト規制部材のロック位置への移動が規制される構成とした打ち込み工具である。
【００１９】
第５の発明によれば、コンタクトアームをオン操作した時点でタイマー機構が停止される。トリガをオン操作したままコンタクトアームのオン操作を解除した時点でタイマー機構が作動して基準時間が経過した時点でコンタクトアームをオン操作できない状態となる。係るオン操作禁止状態は、例えばトリガのオン操作を解除してコンタクト規制部材を初期位置に戻す等してタイマー機構をリセットすることにより解除することができる。
【００２０】
第６の発明は、第１〜第５の何れか一つの発明において、トリガのオフ操作によりコンタクト規制部材がアンロック位置に戻される構成とした打ち込み工具である。
【００２１】
第６の発明によれば、トリガのオフ操作によりタイマー機構が初期状態にリセットされる。
【００２２】
第７の発明は、第１〜第６の何れか一つの発明において、コンタクト規制部材は、ロック位置とアンロック位置との間を回動可能に支持されており、コンタクト規制部材のアンロック位置からロック位置への移動動作について回転式ダンパを用いて回転抵抗を付与して基準時間を設定した打ち込み工具である。
【００２３】
第７の発明によれば、コンタクト規制部材のアンロック位置からロック位置に向かう回動動作について回転式ダンパにより回転抵抗を付与することにより基準時間が設定されている。コンタクト規制部材を回動可能に支持し、回転式ダンパにより回転抵抗を付与する構成とすることにより、簡易かつコンパクトな構成でタイマー制御を実現できる。
【００２４】
第８の発明は、第７の発明において、コンタクト規制部材と回転式ダンパとの間に、ギヤの噛み合い若しくはリンク機構を介在させてコンタクト規制部材のアンロック位置からロック位置の移動について基準時間を設定した打ち込み工具である。
【００２５】
第８の発明によれば、ギヤの噛み合い若しくはリンク機構の増減速比を適切に設定することによっても基準時間を任意に設定することができる。
【図面の簡単な説明】
【００２６】
【図１】本発明の実施形態に係る打ち込み工具の全体側面図である。
【図２】打ち込み工具の工具本体部及び第１実施形態に係る起動装置の縦断面図である。
【図３】第１実施形態に係る起動装置の斜視図である。
【図４】第１実施形態に係る起動装置の斜視図である。本図は、起動ベース及び起動バルブが省略されている点で図３とは異なっている。
【図５】第１実施形態に係る起動装置の一部構成の斜視図である。本図は、トリガ及び回転ダンパが省略されている点で図４とは異なっている。
【図６】第１実施形態に係る起動装置の縦断面図である。
【図７】第１実施形態に係る起動装置の平面図である。
【図８】第１実施形態に係る起動装置の縦断面図である。本図は、初期状態を示している。
【図９】第１実施形態に係る起動装置の縦断面図である。本図は、図８に示す初期状態からトリガを先にオン操作した状態を示している。
【図１０】第１実施形態に係る起動装置の縦断面図である。本図は、タイマーが作動し始めた状態を示している。
【図１１】第１実施形態に係る起動装置の縦断面図である。本図は、タイマーの基準時間経過前にコンタクトアームがオン操作されて起動バルブがオンした状態を示している。
【図１２】第１実施形態に係る起動装置の縦断面図である。本図は、タイマーの基準時間が経過した後であってコンタクトアームのオン操作が規制されたコンタクトロック状態を示している。
【図１３】第１実施形態に係る起動装置の縦断面図である。本図は、図８に示す初期状態からコンタクトアームを先にオン操作した状態を示している。
【図１４】第１実施形態に係る起動装置の縦断面図である。本図は、図１３に示すコンタクトアームオン操作状態からさらにトリガをオン操作して起動バルブをオンさせた状態を示している。この段階でタイマーは作動していない。
【図１５】第１実施形態に係る起動装置の縦断面図である。本図は、図１４に示す起動バルブオン状態（打ち込み動作状態）からコンタクトアームをオフ位置に戻した状態であって、タイマー作動開始状態を示している。
【図１６】第２実施形態に係る起動装置の縦断面図である。
【図１７】第２実施形態に係る起動装置の平面図である。本図では、起動ベースが省略されている。
【図１８】第２実施形態に係る起動装置の斜視図である。本図では、起動ベース及び起動バルブが省略されている。
【図１９】第２実施形態に係る起動装置の縦断面図である。本図は、初期状態を示している。
【図２０】第２実施形態に係る起動装置の縦断面図である。本図は、図１９に示す初期状態からトリガを先にオン操作した状態を示している。
【図２１】第２実施形態に係る起動装置の縦断面図である。本図は、タイマーが作動し始めた状態を示している。
【図２２】第２実施形態に係る起動装置の縦断面図である。本図は、タイマーの基準時間経過前にコンタクトアームがオン操作されて起動バルブがオンした状態を示している。
【図２３】第２実施形態に係る起動装置の縦断面図である。本図は、タイマーの基準時間が経過した後であってコンタクトアームのオン操作が規制されたコンタクトロック状態を示している。
【図２４】第２実施形態に係る起動装置の縦断面図である。本図は、図１９に示す初期状態からコンタクトアームを先にオン操作した状態を示している。
【図２５】第２実施形態に係る起動装置の縦断面図である。本図は、図２４に示すコンタクトアームオン操作状態からさらにトリガをオン操作して起動バルブをオンさせた状態を示している。この段階でタイマーは作動していない。
【図２６】第２実施形態に係る起動装置の縦断面図である。本図は、図２５に示す起動バルブオン状態（打ち込み動作状態）からコンタクトアームをオフ位置に戻した状態であって、タイマー作動開始状態を示している。
【発明を実施するための形態】
【００２７】
次に、本発明の実施形態を図１〜図２６に基づいて説明する。図１及び図２に示すように本実施形態では、打ち込み工具１の一例として圧縮エア駆動式の釘打ち機を例示する。この打ち込み工具１は、圧縮エアを動力源としてシリンダ１５内を上下に往復動するピストン１３を内装した工具本体部２と、工具本体部２の側部から側方へ突き出す状態に設けられたグリップ部３と、工具本体部２の下部から下方（打ち込み具の打ち込み方向）に延びる打ち込みノーズ部４と、打ち込みノーズ部４とグリップ部３との間に跨って装備されて多数本の打ち込み具を装填可能なマガジン５を備えている。
【００２８】
打ち込みノーズ部４の先端にコンタクトアーム６が上下に相対変位可能に支持されている。コンタクトアーム６を打ち込み材Ｗに押し付けて相対的に上動させることが打ち込み動作を行うための一つの条件となっている。コンタクトアーム６は、打ち込みノーズ部４の先端付近からトリガ１２付近に至る範囲に延びている。コンタクトアーム６の下部には、打ち込みノーズ部４の先端であって射出口周辺に位置する円環形状の当接部６ａが設けられている。コンタクトアーム６の上部には、トリガ１２に向けて延びる帯板形状の延長部６ｂが設けられている。当接部６ａと延長部６ｂを一体に有するコンタクトアーム６が打ち込みノーズ部４に沿って上下に一定の範囲で変位可能に支持されている。
【００２９】
グリップ部３の基部付近であって工具本体部２の側部に、本実施形態に係る起動装置１０が配置されている。起動装置１０の起動操作により起動バルブ１１がオンする。起動バルブ１１がオンすると、工具本体部２のピストン上室１６に圧縮エアが供給される。ピストン上室１６に圧縮エアが供給されると、ピストン１３がシリンダ１５内を下動して打ち込み動作がなされる。ピストン１３の下面には長尺棒状の打撃ドライバ１４が取り付けられている。この打撃ドライバ１４がピストン１３の下動に伴って打ち込みノーズ部４内を下動することにより、１本の打ち込み具が打ち込みノーズ部４の先端（射出口）から打ち出される。打ち込みノーズ部４内には、マガジン５から打ち込み具が１本ずつ供給される。
【００３０】
図１に示すように起動装置１０の側部には、トリガロックレバー７が設けられている。このトリガロックレバー７を図１に示すように下側に回動操作した状態では、トリガ１２を上方へ引き操作可能となる。トリガロックレバー７を上側へ回動操作した状態では、トリガ１２の上方への引き操作ができないトリガロック状態となる。トリガロックレバー７を上側のロック位置に切り替えておくことにより、当該打ち込み工具１の不用意な打ち込み動作を未然に防ぐことができる。
【００３１】
本実施形態は、起動装置１０について従来にない特徴を備えている。打ち込み工具１の基本的構成については本実施形態において特に変更を要しないので詳細な説明は省略する。起動装置１０は、トリガ１２のオン操作とコンタクトアーム６のオン操作の双方がなされたことを条件に起動バルブ１１をオンさせる機能を有している。本実施形態の起動装置１０は、上記した起動バルブ１１と、トリガ１２と、タイマー機構２０を備えている。図２に示すように起動バルブ１１はグリップ部３の基部側下面に収容されている。バルブステム１１ａの下部がトリガ１２に向けて突き出されている。起動バルブ１１のバルブステム１１ａは上下（オン位置とオフ位置）に移動可能に支持されている。バルブステム１１ａは、圧縮ばね１１ｂにより下方のオフ位置側へ移動する方向に付勢されている。図２はバルブステム１１ａがオフ位置に位置する状態を示している。バルブステム１１ａがこのオフ位置からばね付勢力に抗して上動することにより起動バルブ１１がオンする。
【００３２】
起動バルブ１１がオンすると、ヘッドバルブ２ｅが下向きに作用するエア圧により下方へ変位して開かれる。ヘッドバルブ２ｅが開かれるとグリップ部３内の蓄圧室３ａに蓄圧された圧縮エアがピストン上室１６に供給される。バルブステム１１ａがばね付勢力で下方へ戻されると、起動バルブ１１がオフする。起動バルブ１１がオフすると、ヘッドバルブ２ｅが上向きに作用するエア圧及びばね力により上方へ変位し、これによりピストン上室１６が蓄圧室３ａに対して閉じられる。ピストン上室１６は閉じられると同時に大気開放され、これより下動したピストン１３が上死点（初期位置）に戻される。
【００３３】
トリガ１２とタイマー機構２０の詳細が図３〜図７に示されている。トリガ１２とタイマー機構２０は、工具本体部２の後面側に一体に設けられた起動ベース１７に支持されている。トリガ１２は、支軸１８を介して上下に回動操作可能に支持されている。トリガ１２は、グリップ部３を把持した手の指先で上方（オン位置）へ引き操作される。トリガ１２は、捩じりばね１２ａにより下方のオフ位置側へ回動する方向に付勢されている。トリガ１２の背面側（上面側）には、アイドラ１９が支軸１９ａを介して上下に回動可能に支持されている。アイドラ１９は、捩じりばね１９ｂにより回動先端側（前側）を上方へ変位させる方向に付勢されている。捩じりばね１９ｂの付勢力により、アイドラ１９は常時起動バルブ１１のバルブステム１１ａの先端に押し付けられた状態となっている。
【００３４】
トリガ１２の下側にタイマー機構２０が設けられている。タイマー機構２０の後方に沿ってコンタクトアーム６の延長部６ｂが上下に変位可能に配置されている。タイマー機構２０は、トリガ１２の下側において起動ベース１７に支持されたコンタクト規制部材２１と、コンタクト規制部材２１の下側において、同じく起動ベース１７に支持されたタイマー設定部２２を備えている。コンタクト規制部材２１は、支軸２３を介して前後に回動可能に支持されている。コンタクト規制部材２１は、支軸２３に支持された円筒形の支持筒部２１ａに、ギヤアーム部２１ｂとストッパ部２１ｃと解除アーム部２１ｄを一体に備えた構成を有している。ギヤアーム部２１ｂは支持筒部２１ａの右端部から概ね下方へ向けて延びている。ギヤアーム部２１ｂの左側部にロック部２１ｅが一体に設けられている。図示するようにロック部２１ｅは、ブロック体形を有してギヤアーム部２１ｂの左側部から側方へ突き出す状態に設けられている。ストッパ部２１ｃは、支持筒部２１ａの右端部からギヤアーム部２１ｂに対して支軸２３の軸回りに約９０°の間隔をおいて概ね後方へ張り出している。解除アーム部２１ｄは、支持筒部２１ａの左端部からギヤアーム部２１ｂに対して支軸２３の軸回りに約４５°の間隔をおいて概ね斜め下方に延びている。支持筒部２１ａの軸線回りの位置について、ギヤアーム部２１ｂとストッパ部２１ｃと解除アーム部２１ｄの相互の位置関係は固定されており、一体で支軸２３の軸回りに変位する。
【００３５】
コンタクト規制部材２１は、捩じりばね２４により、図６において反時計回り方向（コンタクトロック側）に付勢されている。トリガ１２の下面には、ストッパ受け部１２ｂが設けられている。ストッパ受け部１２ｂは、ストッパ部２１ｃの上方に位置している。図６に示すようにトリガ１２が下側のオフ位置に位置する状態では、ストッパ部２１ｃがストッパ受け部１２ｂで下方へ押されてコンタクト規制部材２１が捩じりばね２４に抗して時計回り方向に回動した初期位置に保持される。コンタクト規制部材２１が初期位置に位置する状態では、解除アーム部２１ｄがコンタクトアーム６の延長部６ｂに対して前側（図６において上側）へ変位した状態となる。
【００３６】
コンタクトアーム６の延長部６ｂには、ロック受け部６ｃと解除案内部６ｄが設けられている。図５に示すようにロック受け部６ｃは、延長部６ｂの右側部に凹形に切り欠かれて設けられている。解除案内部６ｄは、延長部６ｂの左側部に設けられている。解除案内部６ｄは、当該延長部６ｂの板厚方向に傾斜した傾斜面で、下側ほど前側へ変位する方向に傾斜した状態に設けられている。
【００３７】
コンタクトアーム６がオン操作されていない状態で、コンタクト規制部材２１がロック側（図６において反時計回り方向）に回動してロック部２１ｅがコンタクトアーム６のロック受け部６ｃに進入することにより、当該コンタクトアーム６のオン操作が禁止された状態となる。
【００３８】
これに対して、コンタクト規制部材２１がロック位置（ロック部２１ｅをロック受け部６ｃに進入させた位置）に至るまでの間に、コンタクトアーム６がオン操作されると、解除アーム部２１ｄの回動先端部が解除案内部６ｄに当接され、この当接状態でコンタクトアーム６がオン操作（上動）されることにより、解除アーム部２１ｄが解除案内部６ｄの傾斜作用により前方へ押され、従ってコンタクト規制部材２１が初期位置に戻されることから、コンタクトアーム６のオン位置側への移動操作（オン操作）が許容される。
【００３９】
コンタクト規制部材２１の下方にタイマー設定部２２が配置されている。タイマー設定部２２は、コンタクト規制部材２１のギヤアーム部２１ｂに噛み合う中間ギヤ２２ａとワンウエイクラッチ２２ｂと回転抵抗付与部材２２ｃを備えている。回転抵抗付与部材２２ｃはいわゆるロータリーダンパで、その作動軸２２ｄには封入したシリコン油により軸回り両方向に一定の回転抵抗が与えられている。中間ギヤ２２ａとワンウエイクラッチ２２ｂは、回転抵抗付与部材２２ｃの作動軸２２ｄ上に支持されている。作動軸２２ｄは、図７においてのみ見えている。ワンウエイクラッチ２２ｂの受け側２２ｂｃは、作動軸２２ｄに対して軸方向及び軸回りに固定されている。
【００４０】
中間ギヤ２２ａはワンウエイクラッチ２２ｂの駆動側２２ｂｂに一体に設けられている。ワンウエイクラッチ２２ｂの駆動側２２ｂｂと中間ギヤ２２ａは、作動軸２２ｄに対して軸方向に変位可能かつ軸回りについては一体化（スプライン嵌合）されている。ワンウエイクラッチ２２ｂの駆動側２２ｂｂと中間ギヤ２２ａは、圧縮ばね２２ｅにより、当該駆動側２２ｂｂを受け側２２ｂａに噛み合わせる左方向（図７において紙面下向き）に付勢されている。コンタクト規制部材２１のギヤアーム部２１ｂの回動動作は、中間ギヤ２２ａ及びワンウエイクラッチ２２ｂを経て回転抵抗付与部材２２ｃの作動軸２２ｄに伝達される。
【００４１】
ワンウエイクラッチ２２ｂのトルク伝達方向は、ギヤアーム部２１ｂが下方へ移動する際の回転トルクを駆動側２２ｂｂから受け側２２ｂａに伝達する一方、ギヤアーム部２１ｂの上方への戻し動作については駆動側２２ｂｂが受け側ｂａに対して相対回転してトルクを伝達しない方向に設定されている。このため、タイマー作動時におけるギヤアーム部２１ｂのロック位置側（図６において時計回り方向）への回動動作について回転抵抗付与部材２２ｃにより一定の回転抵抗が持たせられる一方、タイマー解除時におけるギヤアーム部２１ｂのアンロック位置側（図６において反時計回り方向）への回動動作については回転抵抗付与部材２２ｃから切り離されて係る回転抵抗は持たせられない。
【００４２】
トリガ１２のオン操作後におけるコンタクト規制部材２１の動作についてタイマー設定部２２の回転抵抗付与部材２２ｃにより一定の動作抵抗が与えられることにより、ロック部２１ｅがロック受け部６ｃに進入してコンタクトアーム６のオン操作がロックされるまでに必要な一定時間（基準時間ｔ）が設定されている。このように構成されたタイマー機構２０がトリガ１２とコンタクトアーム６の延長部６ｂとの間に介在されることにより、トリガ１２のオン操作状態における不用意な打ち込み動作が防止される。
【００４３】
トリガ１２及びコンタクトアーム６がそれぞれオン操作されると、アイドラ１９によりステム１１ａが上方へ押されて起動バルブ１１がオンする。前記したように起動バルブ１１がオンすることによりピストン上室１６に圧縮エアが供給されて打ち込み動作がなされる。例えば、先にトリガ１２をオン操作し、その後コンタクトアーム６をオン操作して行う打ち込み作業形態（例えば連発打ち）では、トリガ１２のオン操作後、上記タイマー機構２０により設定された基準時間ｔの経過後にコンタクトアーム６のオン操作が禁止される。コンタクトアーム６のオン操作禁止状態は、トリガ１２のオン操作を解除することによりリセットされる。また、例えば先にコンタクトアーム６をオン操作し、その後トリガ１２をオン操作して行う打ち込み作業形態（例えば単発打ち）では、上記タイマー機構２０による時間的制約は発生しない。以下、各作業形態についてタイマー機構２０の動作状態を説明する。
【００４４】
先ず、連発打ちを行うために図８に示す初期位置から、図９に示すようにトリガ１２を上方へ引き操作するとタイマー機構２０が作動する。トリガ１２を上方へ引き操作するとストッパ受け部１２ｂが上方へ変位する結果、ストッパ部２１ｃが上方へ変位可能となる。ストッパ部２１ｃが上方へ変位可能となると、図１０に示すようにコンタクト規制部材２１が捩じりばね２４によりロック側（図１０において反時計回り方向）に回動する。コンタクト規制部材２１がロック側に回転すると、解除アーム部２１ｄとロック部２１ｅが一体で後方に変位する。
【００４５】
図１２に示すようにコンタクト規制部材２１のロック側への回動端位置は、そのストッパ部２１ｃがオン位置に位置するトリガ１２のストッパ受け部１２ｂに当接することにより規制される。また、コンタクト規制部材２１のロック側への回動動作については、タイマー設定部２２により一定の回転抵抗が付与されて、図１２に示すロック側への回動端位置に至るまでに要する基準時間ｔが設定されている。図１１は、トリガ１２のオン操作後であってタイマー機構２０が作動し始めてから基準時間ｔが経過する前にコンタクトアーム６をオン操作した状態が示されている。
【００４６】
図１１に示すように基準時間ｔ経過前にコンタクトアーム６がオン操作されると、コンタクト規制部材２１の解除アーム部２１ｄが解除案内部６ｄに当接した状態となる。解除アーム部２１ｄの先端部が解除案内部６ｄに当接した状態でコンタクトアーム６が上方へ変位することにより、解除アーム部２１ｄが解除案内部６ｄの傾斜面作用により前方へ押され、その結果コンタクト規制部材２１が図１１において白抜き矢印で示すように時計回り方向（アンロック側）に回動して初期位置に戻される。コンタクト規制部材２１のアンロック側への回転動作については、タイマー設定部２２においてワンウエイクラッチ２２ｂにより回転抵抗付与部材２２ｃが切り離されるため、当該コンタクト規制部材２１は回転抵抗を受けることなく迅速にアンロック側（初期位置側）に戻される。コンタクト規制部材２１がアンロック側に戻されるためコンタクトアーム６をオン位置まで操作することができる。図１１に示すようにトリガ１２がオン操作された状態で基準時間ｔ経過前にコンタクトアーム６がオン操作されることにより、アイドラ１９がコンタクトアーム６の延長部６ｂにより所定のオン位置まで押されて起動バルブ１１がオンし、これにより工具本体部２において打ち込み動作がなされる。
【００４７】
トリガ１２のオン操作後、基準時間ｔの経過前にコンタクトアーム６がオン操作されないと、図１２に示すようにコンタクト規制部材２１のロック部２１ｅがロック受け部６ｃに進入した状態となる。ロック部２１ｅがロック受け部６ｃに進入した状態では、コンタクトアーム６のそれ以上の上方への変位が規制されるためアイドラ１９がオン位置まで押されず、従って起動バルブ１１がオンしないため打ち込み動作はなされない。
【００４８】
このように、先にトリガ１２をオン操作して行う連発打ちにおいて、トリガ１２のオン操作後、基準時間ｔ経過後におけるコンタクトアーム６のオン操作が禁止される。これにより、トリガ１２を引き操作したまま当該打ち込み工具１を持ち運ぶ際における不用意な打ち込み動作を確実に防止することができる。上記例示したタイマー機構２０では、ロータリーダンパとも称される回転抵抗付与部材２２ｃによりコンタクト規制部材２１の回転動作にのみ抵抗を与えて基準時間ｔの設定がなされる構成であり、例えば圧縮エアを動力源とする動作部を介在させない構成であるので、当該タイマー機構２０をスムーズに動作させることができる。
【００４９】
上記したように先にトリガ１２をオン操作して行う連発打ちにおいては、タイマー機構２０が作動して工具本体部２の不用意な打ち込み動作が禁止される。本実施形態に係る打ち込み工具１は、先にコンタクトアーム６をオン操作しても打ち込み動作がなされる。先にコンタクトアーム６をオン操作して行う単発打ちにおいては、タイマー機構２０は作動しない。単発打ちでは、先にコンタクトアーム６がオン操作され、その後使用者による明確な意図をもってトリガ１２がオン操作されるため、工具本体部２において不用意な打ち込み動作がなされることを想定する必要性は低い。
【００５０】
単発打ちでは、図８に示す初期位置から、図１３に示すように先にコンタクトアーム６がオン操作される。トリガ１２がオン操作されていないため、そのストッパ受け部１２ｂがストッパ部２１ｃを下方へ押した状態（図１３では見えていない）であるため、コンタクト規制部材２１が初期位置に位置する状態のままとなっている。このため、解除アーム部２１ｄは、コンタクトアーム６の延長部６ｂの移動経路から前側へ外れた位置に保持され、かつロック部２１ｅはロック受け部６ｃに対して前方へ大きく外れた位置に保持された状態となっている。コンタクト規制部材２１により移動を規制されない状態であるので、コンタクトアーム６の延長部６ｂは図１３に示すようにオン位置まで移動してアイドラ１９をオン位置まで押し上げた状態となる。
【００５１】
図１３に示すようにコンタクトアーム６がオン操作された後、図１４に示すようにトリガ１２をオン操作するとバルブステム１１ａが上方へ押されて起動バルブ１１がオンする。起動バルブ１１がオンすることにより、工具本体部２において打ち込み動作がなされる。単発打ちでは、１回の打ち込み動作がなされた後には、トリガ１２がオフ位置に戻され、かつコンタクトアーム６がオフ位置に戻されて当該打ち込み工具１が一旦初期状態に戻される。
【００５２】
単発打ちにおいて、１回の打ち込み動作がなされた後に、図１５に示すようにトリガ１２をオン操作したままコンタクトアーム６のオン操作のみを解除すると、連発打ちの作業形態に切り替わる。図１５では、連発打ちにおいてトリガ１２を先にオン操作し、コンタクトアーム６をオン操作する前の状態を示す図９と同じ状態が示されている。１回の単発打ち後に、トリガ１２をオン操作したままコンタクトアーム６をオフ操作すると、解除アーム部２１ｄの後方からコンタクトアーム６の延長部６ｂが退避するため、コンタクト規制部材２１がロック側へ回動可能な状態となる。また、トリガ１２がオン操作されたままであることから、ストッパ受け部１２ｂがストッパ部２１ｃから上方へ離間した状態となっている。このため、単発打ちにおいて１回の打ち込み動作後、コンタクトアーム６をオフ位置に戻すと、タイマー機構２０が作動し始める。具体的には、前記連発打ちと同じくコンタクト規制部材２１がロック側へ回動し始める。このため、その後基準時間ｔを経過する前に再びコンタクトアーム６をオン操作することにより連発打ちを行うことができる。基準時間ｔが経過した後には、コンタクトアーム６のオン操作が禁止されることにより不用意な打ち込み動作が禁止される。
【００５３】
タイマー機構２０による打ち込み動作禁止状態（コンタクトアーム６のオン操作禁止状態）は、トリガ１２のオン操作を一旦解除することによりリセットすることができる。トリガ１２をオフ位置に戻すと、そのストッパ受け部１２ｂによりストッパ部２１ｃが下方へ押されて、コンタクト規制部材２１が捩じりばね２４の付勢力に抗して初期位置に戻されて、当該起動装置１０が図８に示す初期状態にリセットされる。
【００５４】
以上のように構成した第１実施形態に係る起動装置１０によれば、トリガ１２がオン操作され、コンタクトアーム６がオン操作されていない状態ではタイマー機構２０が作動する。このため、例えば連発打ちを行うためトリガ１２をオン操作したまま当該打ち込み工具１を持ち運ぶ際に、基準時間ｔの経過後であれば誤ってコンタクトアーム６を他部位に干渉させる等した場合であっても工具本体部２における不用意な打ち込み動作を防止することができる。
【００５５】
また、第１実施形態に係る起動装置１０は、電力を必要とする電気的制御によらず、完全に機械的構成によるタイマー機構２０を備えていることから、電力供給のない環境下においても機能させることができる。
【００５６】
さらに、例示したタイマー装置２０では、圧縮エアを動力源として作動する部位を備えないことから、回転抵抗付与部材２２ｃによる回転抵抗を除いて各部のスムーズな動作性（応答性）を確保して、当該打ち込み工具１の作業性（速射性）を高めることができる。
【００５７】
以上説明した実施形態には種々変更を加えることができる。例えば図１６以降には、第２実施形態のタイマー機構３１を備えた起動装置３０が示されている。第２実施形態のタイマー機構３１は、コンタクト規制部材３２とタイマー設定部３３との間が、ギヤの噛み合いではなく、リンク機構を介して連携されている点で第１実施形態のタイマー機構２０とは異なっている。変更を要しない部材及び構成については同位の符号を用いてその説明を省略する。
【００５８】
第２実施形態に係るタイマー機構３１は、トリガ１２の下側において起動ベース１７に支持されたコンタクト規制部材３２と、コンタクト規制部材３２の下側において、同じく起動ベース１７に支持されたタイマー設定部３３を備えている。コンタクト規制部材３２は、支軸３４を介して前後に回動可能に支持されている。コンタクト規制部材３２は、捩じりばね３５により、図１６において反時計回り方向（コンタクトロック側）に付勢されている。コンタクト規制部材３２は、支軸３４に支持された円筒形の支持筒部３２ａに、リンクアーム部３２ｂとストッパ部３２ｃとロックアーム部３２ｄを一体に備えた構成を有している。第２実施形態の場合、リンクアーム部３２ｂとストッパ部３２ｃに加えてロックアーム部３２ｄも、支持筒部３２ａの右端部寄りに配置されている。このため、第２実施形態では、コンタクトアーム６の延長部６ｂの右端部に沿って解除案内部６ｄが設けられている。解除案内部６ｄの上端部にロック受け部６ｃが設けられている。
【００５９】
ロック受け部６ｃと解除案内部６ｄの前方にロックアーム部３２ｄが位置している。コンタクト規制部材３２のロック側への回動によりロックアーム部３２ｄがその回動先端部を後方へ変位させる方向に一体で回動して、当該回動先端部がロック受け部６ｃの上方に進入した状態では、コンタクトアーム６のオン位置側への変位が当該ロックアーム部３２ｄによって規制された状態（コンタクトアームロック状態）となる。これに対して、コンタクトアーム６のロック受け部６ｃが先にロックアーム部３２ｄの後方を通過し、その結果ロックアーム部３２ｄの回動先端部が解除案内部６ｄの上面に当接した状態では、解除案内部６ｄの傾斜作用によりロックアーム部３２ｄが前方へ押されて初期位置側へ戻されることから、コンタクトアーム６のオン位置側への移動操作が許容される状態となる。この点は第１実施形態と同様である。
【００６０】
コンタクト規制部材３２の下方にタイマー設定部３３が配置されている。第２実施形態のタイマー設定部３３は、中間ギヤ２２ａに代えて中間アーム部３３ａを備える点以外は第１実施形態のタイマー設定部２２と同様に構成されている。同様の部材及び構成については同位の符号を用いる。中間アーム部３３ａは、ワンウエイクラッチ２２ｂの駆動側２２ｂｂに一体に設けられている。中間アーム部３３ａの先端に設けた連携軸部３３ｂを介して当該中間アーム３３ａとリンクアーム部３２ｂが相互に反対方向に回転可能に連携されている。中間アーム３３ａとリンクアーム部３２ｂとの連携、及びワンウエイクラッチ２２ｂを経て回転抵抗付与部材２２ｃの回転抵抗がコンタクト規制部材３２に付加される。
【００６１】
トリガ１２のオン操作後におけるコンタクト規制部材３２の動作についてタイマー設定部３３の回転抵抗付与部材２２ｃにより一定の動作抵抗が与えられることにより、ロックアーム部３２ｄがロック受け部６ｃの上方に進入してコンタクトアーム６のオン操作がロックされるまでに必要な一定時間が設定されている。このように構成されたタイマー機構３１がトリガ１２とコンタクトアーム６の延長部６ｂとの間に介在されることにより、トリガ１２のオン操作状態における不用意な打ち込み動作が防止される。
【００６２】
第２実施形態に係るタイマー機構３１を備える起動装置３０の動作状態は前記例示した第１実施形態に係るタイマー機構２０を備える起動装置１０と概ね同様であり、以下簡単に説明する。図１８には第２実施形態に係るタイマー機構３１を備えた起動装置３０の初期状態が示されている。図１８以降では、タイマー設定部３３の回転抵抗付与部材２２ｃ及びワンウエイクラッチ２２ｂの図示が省略されている。また、起動ベース１７も省略され、コンタクトアーム６は延長部６ｂのみが示されている。
【００６３】
図１９に示す初期状態から先にトリガ１２をオン操作すると、図２０に示すようにトリガ１２のストッパ受け部１２ｂが上方へ変位してコンタクト規制部材３２がロック側へ回転可能な状態となり、これによりタイマー機構３１が作動し始める。図２１に示すようにタイマー機構３１が作動し始めると、コンタクト規制部材３２がロック側（図２１において反時計回り方向）に回動する。コンタクト規制部材３２がロック側へ回動する段階では、リンクアーム部３２ｂと中間アーム部３３ａとの連携を経て回転抵抗付与部材２２ｃの回転抵抗が当該コンタクト規制部材３２の回転動作に付加される。このため、コンタクト規制部材３２は、回転抵抗付与部材２２ｃの回転抵抗を受けながら捩じりばね３５の付勢力によりロック側へ回転する。
【００６４】
コンタクト規制部材３２が、そのストッパ部３２ｃがトリガ１２のストッパ受け部１２ｂに当接することにより規制されるロック側の回動端位置に至るまでの間（基準時間ｔが経過するまでの間）に、コンタクトアーム６がオン操作されると、図２２に示すようにアイドラ１９が上方へ押されて起動バルブ１１がオンし、従って工具本体部２において打ち込み動作がなされる。この際、コンタクト規制部材３２のロックアーム部３２ｄがコンタクトアーム６の解除案内面６ｄに当接した状態でコンタクトアーム６が上動することにより、コンタクト規制部材３２がアンロック側に戻される。
【００６５】
基準時間ｔが経過するまでの間にコンタクトアーム６がオン操作されないと、図２３に示すようにストッパ部３２ｃがトリガ１２のストッパ受け部１２ｂに当接してコンタクト規制部材３２がロック側の回動端位置に至る。この状態では、ロックアーム部３２ｄがロック受け部６ｃの上方に進入した状態となるため、コンタクトアーム６のオン操作が禁止された状態となる。このようにトリガ１２のオン操作後、基準時間ｔが経過する前であればコンタクトアーム６をオン操作して打ち込み動作を行うことができる一方、基準時間ｔが経過した後にはコンタクトアーム６のオン操作が禁止されて打ち込み動作を行うことができなくなる。これにより、例えばトリガ１２をオン操作したまま当該打ち込み工具１を持ち運ぶ際に、基準時間ｔの経過後にコンタクトアーム６を誤って他部位に接触等させた場合であっても不用意な打ち込み動作がなされることがない。
【００６６】
タイマー機構３１によるコンタクトアーム６のロック状態は、図２４に示すようにトリガ１２を一旦オフ操作することにより解除することができる。トリガ１２をオフ位置に戻すと、そのストッパ受け部１２ｂによりストッパ部３２ｃが下方へ押されることによりコンタクト規制部材３２が捩じりばね３５の付勢力に抗してアンロック側（図２３において時計回り方向）に回動され、最終的に初期位置に戻される。コンタクト規制部材３２が初期位置に戻されると、ロックアーム部３２ｄがロック受け部６ｃの上方から退避するため、コンタクトアーム６をさらに上動させてオン操作できるようになる。
【００６７】
起動装置３０の図２４に示す状態は、単発打ちを行うために先にコンタクトアーム６をオン操作した状態に相当する。トリガ１２のオフ状態でコンタクトアーム６を打ち込み材Ｗに押し付けて先にオン操作すると、アイドラ１９が上方へ押される。トリガ１２がオン操作されていない状態では、そのストッパ受け部１２ｂによりストッパ部３２ｃが下方へ押されてコンタクト規制部材３２が初期位置に保持された状態であるためコンタクトアーム６のオン操作が許容される。コンタクトアーム６のオン操作後、図２５に示すようにトリガ１２をオン操作すると、アイドラ１９でステム１１ａが上方へ押されて起動バルブ１１がオンし、従って工具本体部２において打ち込み動作がなされる。
【００６８】
なお、トリガ１２がオン操作されることによりそのストッパ受け部１２ｂによるコンタクト規制部材３２の初期位置保持状態は解除されるものの、この段階ではロックアーム部３２ｄがコンタクトアーム６の延長部６ｂに当接して当該コンタクト規制部材３２のロック位置側（図２５において反時計回り方向）への回動が規制された状態となっているため、タイマー機構３１は作動しない。
【００６９】
図２５に示すようにトリガ１２のオン操作で打ち込み動作がなされた後、図２６に示すようにトリガ１２をオン操作したままコンタクトアーム６をオフ操作すると、タイマー機構３１が作動し始める。図２６に示す状態は、先にトリガ１２をオン操作した結果タイマー機構３１が作動し始めた状態を示す図２０と同じ状態となっている。このため、図２６に示すようにトリガ１２をオン操作したままコンタクトアーム６をオフ操作し、基準時間ｔが経過する前にコンタクトアーム６を再度打ち込み材Ｗに押し付けてオン操作することにより連発打ちを行うことができる。基準時間ｔが経過する前にコンタクトアーム６をオン操作しない場合には、タイマー機構３２によりコンタクトアーム６のオン操作が禁止された状態となる。係るコンタクトアームロック状態はトリガ１２をオフ操作することによりリセットすることができる。
【００７０】
以上のように構成した第２実施形態に係るタイマー機構３１を備えた起動装置３０によっても、トリガ１２がオン操作され、コンタクトアーム６がオン操作されていない状態ではタイマー機構３１が作動するため、例えばトリガ１２をオン操作したまま当該打ち込み工具１を持ち運ぶ際に、基準時間ｔの経過後であれば誤ってコンタクトアーム６を他部位に干渉させる等した場合であっても工具本体部２における不用意な打ち込み動作を防止することができる。
【００７１】
また、第２実施形態に係るタイマー機構３１についても、電力を必要とする電気的制御によらず、完全に機械的構成により基準時間ｔを設定する構成であることから、電力供給のない環境下においても機能させることができる。
【００７２】
さらに、第２実施形態に係るタイマー装置３１も、圧縮エアを動力源として作動する部位を備えないことから、回転抵抗付与部材２２ｃによる回転抵抗を除いて各部の動作の機敏性（応答性）を確保して、当該打ち込み工具１の作業性（速射性）を高めることができる。
【００７３】
以上説明した第１、第２実施形態にはさらに変更を加えることができる。例えば、ロータリーダンパ（回転抵抗付与部材２２ｃ）によりコンタクト規制部材２１に対して回転方向の抵抗を直接与える構成を例示したが、回転する部材（例えばコンタクト規制部材２１の支持筒部２１ａ）に対して側方から抵抗部材を押し付けて当該部材に回転抵抗を与える構成としてもよい。
【００７４】
また、回転抵抗付与部材２２ｃとして、作動軸２２ｄの回転方向の両方向について回転抵抗が持たせられたものを用いる構成を例示したが、一方向（コンタクトロック側）についてのみ回転抵抗が持たせられ、逆方向については特別の回転抵抗が付加されずに空回りする一方向タイプの回転抵抗付与部材を用いる構成としてもよい。係る一方向タイプのダンパを用いることにより、ワンウエイクラッチ２２ｂを省略することができる。
【００７５】
また、コンタクト規制部材２１のロック側への回動動作についてのみ回転抵抗を持たせるためにワンウエイクラッチ２２ｂを用いる構成を例示したが、係るワンウエイクラッチ２２ｂを省略してコンタクト規制部材２１のロック側及びアンロック側への両方向の回転動作について回転抵抗付与部材２２ｃによる回転抵抗を持たせる構成としてもよい。当該両方向について回転抵抗を持たせる構成とする場合、あるいは上記一方向タイプの回転抵抗付与部材を用いる場合には、コンタクト規制部材２１，３２の支持筒部２１ａ，３２ａに回転抵抗付与部材を直結して、ギヤアーム部２１ｂ若しくはリンクアーム３２ｂ及びタイマー設定部２２を省略することができるので、当該タイマー機構２０，３１の構成の大幅な簡略化を図ることができる。
【００７６】
打ち込み工具１として圧縮エア駆動式の釘打ち機を例示したが、誤作動防止用のコンタクトアームを備える電動式タッカ等その他形態の打ち込み工具についても同様に適用することができる。
【符号の説明】
【００７７】
１…打ち込み工具
Ｗ…打ち込み材
２…工具本体部
２ｅ…ヘッドバルブ
３…グリップ部、３ａ…蓄圧室
４…打ち込みノーズ部
５…マガジン
６…コンタクトアーム
６ａ…当接部、６ｂ…延長部、６ｃ…ロック受け部、６ｄ…解除案内部
７…トリガロックレバー
１０…起動装置
１１…起動バルブ、１１ａ…バルブステム、１１ｂ…圧縮ばね
１２…トリガ、１２ａ…捩じりばね、１２ｂ…ストッパ受け部
１３…ピストン
１４…打撃ドライバ
１５…シリンダ
１６…ピストン上室
１７…起動ベース
１８…支軸
１９…アイドラ、１９ａ…支軸、１９ｂ…捩じりばね
２０…タイマー機構（第１実施形態）、ｔ…基準時間
２１…コンタクト規制部材
２１ａ…支持筒部、２１ｂ…ギヤアーム部、２１ｃ…ストッパ部
２１ｄ…解除アーム部、２１ｅ…ロック部
２２…タイマー設定部
２２ａ…中間ギヤ、２２ｂ…ワンウエイクラッチ
２２ｃ…回転抵抗付与部材（ロータリーダンパ）、２２ｄ…作動軸
２３…支軸
２４…捩じりばね
３０…起動装置
３１…タイマー機構（第２実施形態）
３２…コンタクト規制部材
３２ａ…支持筒部、３２ｂ…リンクアーム部、３２ｃ…ストッパ部
３２ｄ…ロックアーム部
３３…タイマー設定部、３３ａ…中間アーム部
３４…支軸
３５…捩じりばね
【図１】
2018144122.tif 000003
【図２】
2018144122.tif 000004
【図３】
2018144122.tif 000005
【図４】
2018144122.tif 000006
【図５】
2018144122.tif 000007
【図６】
2018144122.tif 000008
【図７】
2018144122.tif 000009
【図８】
2018144122.tif 000010
【図９】
2018144122.tif 000011
【図１０】
2018144122.tif 000012
【図１１】
2018144122.tif 000013
【図１２】
2018144122.tif 000014
【図１３】
2018144122.tif 000015
【図１４】
2018144122.tif 000016
【図１５】
2018144122.tif 000017
【図１６】
2018144122.tif 000018
【図１７】
2018144122.tif 000019
【図１８】
2018144122.tif 000020
【図１９】
2018144122.tif 000021
【図２０】
2018144122.tif 000022
【図２１】
2018144122.tif 000023
【図２２】
2018144122.tif 000024
【図２３】
2018144122.tif 000025
【図２４】
2018144122.tif 000026
【図２５】
2018144122.tif 000027
【図２６】
2018144122.tif 000028